(57)【要約】      （修正有）【課題】電子レンジを使用して加熱した包装食品容器をレンジ内からの取出しを容易にする包装食品用持ち手を提供する。【解決手段】鍔部０１を備えた浅型トレイに所定の包装食品０３を収納すると共に、鍔部０１と接着したフィルム０４で密閉してなる包装食品Ａに使用する持ち手であって、適宜長さ及び適宜硬度の釣り手体１の両端部に、包装食品Ａの鍔部０１に装着するフック体２を設けて、包装食品０３の鍔部０１に装着して、包装食品０３の電子レンジ加熱を行う。【選択図】図３
0003206813.tif 000002
【実用新案登録請求の範囲】
【請求項１】
鍔部を備えた浅型トレイに所定の食品を収納すると共に、前記鍔部と接着したフィルムで密閉してなる包装食品に使用する持ち手であって、適宜長さで適宜硬度を備えた釣り手体の両端部に、包装食品の鍔部に装着するフック体を設けてなることを特徴とする包装食品用持ち手。
【請求項２】
フック体を、包装食品の鍔部に外周方向から外嵌合して装着する挟持構造としてなる請求項１記載の包装食品用持ち手。
【請求項３】
釣り手体とフック体を一体成形とした請求項２記載の包装食品用持ち手。
【請求項４】
フック体間の釣り手体長さを調整可能とした請求項１又は２記載の包装食品用持ち手。
【請求項５】
釣り手体を一方のフック体に設けた貫通孔に挿通し、釣り手体に抜け止め構造を設けた請求項４記載の包装食品用持ち手。
【考案の詳細な説明】
【技術分野】
【０００１】
本考案は、電子レンジで加熱することができる無菌パックと称される包装食品に使用する持ち手に関するものである。
【背景技術】
【０００２】
種々の包装食品のうちアルミ箔被覆を採用したレトルト食品を除き、包装状態のまま直接電子レンジで加熱調理される包装食品が知られている。この直接加熱する包装食品においては、加熱後には内部の加熱された食品の熱が包装部分まで伝わり、電子レンジから取出す際に熱いため、わざわざ布巾等を使用して取り出すようにしている。この対策として従前から電子レンジ用食品載せ台（特許文献１，２，３）が提案されており、包装食品を載せ台上に載置して電子レンジに入れて加熱処理し、加熱処理後に載せ台部分を持って電子レンジから取り出すようにしている。
【先行技術文献】
【特許文献】
【０００３】
【特許文献１】実公平８−６７４３号公報。
【特許文献２】特開平８−２９５３７２号公報。
【特許文献３】特開２００５−３５００７９号公報。
【考案の概要】
【考案が解決しようとする課題】
【０００４】
電子レンジ用の食品載せ台は、前記各特許文献に記載されているように紙製が一般的であり、使い捨ての場合が多く、省資源の点から好ましく無い。特に本考案の対象となる包装食品は、無菌パック米飯のような扁平容器（トレイ）と密閉フィルムで構成した包装材を採用した食品では、そのまま電子レンジに入れて加熱し、前記のトレイは通常使われていない。しかし加熱後に熱くなりその取扱いに際しては布巾等を使用している。
【０００５】
そこで本考案は、前記のトレイとフィルムで構成される包装材を採用した包装食品に専ら使用するもので、載せ台や布巾を使用せずに包装食品の取り扱いを容易にした新規な包装食品用持ち手を提案したものである。
【課題を解決するための手段】
【０００６】
本考案の請求項１記載に係る包装食品用持ち手は、鍔部を備えた浅型トレイに所定の食品を収納すると共に、前記鍔部と接着したフィルムで密閉してなる包装食品に使用する持ち手であって、適宜長さ及び適宜硬度の釣り手体の両端部に、包装食品の鍔部に装着するフック体を設けてなることを特徴とするものである。
【０００７】
而して前記の包装食品用持ち手は、電子レンジ加熱前の包装食品の鍔部にフック体を装着して釣り手体をアーチ形状として電子レンジで加熱し、加熱後に装着した釣り手体を保持することで、熱くなっている包装食品に触れることなく電子レンジから取り出すことができる。
【０００８】
また本考案の請求項２記載に係る包装食品用持ち手は、特にフック体を、包装食品の鍔部に外周方向から外嵌合して装着する挟持構造としてなるもので、鍔部へのフック体の着脱が容易である。
【０００９】
また本考案の請求項３記載に係る包装食品用持ち手は、釣り手体とフック体を一体成形としたもので、安価に製造できる。
【００１０】
また本考案の請求項４に係る包装食品用持ち手は、特にフック体間の釣り手体長さを調整可能としたもので、包装食品の大きさ及び縦装着か横装着に対応して、釣り手長さを調節して釣り手の突出高さを抑え、電子レンジへの収納（レンジ加熱）にさいして釣り手が邪魔にならないようにするものである。
【考案の効果】
【００１１】
本考案の構成は上記のとおりで、包装食品の電子レンジ加熱に際して装着して使用するもので、加熱後に電子レンジからの取出しを容易にしたものである。
【図面の簡単な説明】
【００１２】
【図１】本考案の第一実施例の全体斜視図。
【図２】同使用状態の説明図（正面図）。
【図３】同図（斜視図）。
【図４】同第二実施例の全体斜視図。
【図５】同要部拡大断面図。
【考案を実施するための形態】
【００１３】
次に本考案の実施形態について説明する。本考案の包装食品用持ち手は、所定形状の包装食品に対して使用するもので、使用対象の包装食品Ａは、例えば無菌パックと称されている包装米飯のように、鍔部０１を備えた浅型トレイ０２に所定の食品０３を収納すると共に、前記鍔部０１と接着したフィルム０４で食品０３を密閉包装したものである。
【００１４】
図１乃至３は第一実施例を示すもので、適宜長さの釣り手体１と、釣り手体１の両端に設けたフック体２で構成されるものである。
【００１５】
釣り手体１は、樹脂製や紙製等で細帯状や紐状で、使用対象の包装食品の鍔部０１の対向辺間の距離よりも適宜長くてなり、且つ適宜な保形性を備えた材質で形成したものである。
【００１６】
フック体２は、Ｕ字状に形成し一辺を連結部２１として前記釣り手体１と接着その他の手段で連結固定し、他辺を挟圧部２２とし、対向辺間に挿入された部材を挟圧部２２の開拡反発の弾性力で挟持するようにしたものである。
【００１７】
而して前記の包装食品用持ち手は、図３に示すように包装食品Ａの鍔部０１にフック体２を外嵌すると、釣り手体１は上方にアーチ状に突出した状態となる。そして当該状態で電子レンジに入れて加熱し、然る後熱くなっていない釣り手体１を保持して包装食品Ａを電子レンジから取り出す。
【００１８】
従って包装食品が熱い状態であっても何ら支障なく容易に電子レンジ内から取出すことができ、所望の場所に運ぶことができるものである。
【００１９】
また図４，５は第二実施例を示すもので、フック体４ａ，４ｂ間の釣り手長さを調整できるようにしたものである。
【００２０】
釣り手体３は、一方端部には一方のフック体４ａを固定し、他方端部はフック体４ｂとの固定位置を変更できるようにしたものである。前記フック体４ａ，４ｂは第一実施例と同様にＵ字状に形成し、一辺を連結部４１とし他辺を挟圧部４２とし、対向辺間に挿入された部材を挟圧部４２の開拡反発の弾性力で挟持するようにした構造は同一であるが、一方のフック体４ａは、釣り手体３の一端に一体成型で形成して設けたものある。
【００２１】
他方のフック体４ｂは、釣り手体３の貫通させる貫通孔４３を設けると共に、釣り手体３に前記貫通孔４３に対して抜け止め構造となる小突起３１を多段に設けるものである。
【００２２】
即ち貫通孔４３は釣り手体３を略密挿される形状とし、前記小突起３１は、挿入方向では変形して挿通され、引き抜き方向では逆爪となる形状としたもので、当該小突起３１がフック体４ｂの外方向に位置した箇所で係止されて抜け止めとして機能するようにしたものである。
【００２３】
従って第二実施例を使用するに際して、装着対象の包装食品の大きさ（鍔部間隔）によって、包装食品に装着した時における釣り手体３の鍔部０１間の長さを調整して、釣り手体３の上方突出高さを抑え、電子レンジ内への収納を確実に行えることになる。
【符号の説明】
【００２４】
１，３    釣り手体
３１      小突起
２，４ａ，４ｂ    フック体
２１，４１      連結部
２２，４２      挟圧部
４３      貫通孔
Ａ      包装食品
０１      鍔部
０２      浅型トレイ
０３      食品
０４      フィルム
【図１】
0003206813.tif 000003
【図２】
0003206813.tif 000004
【図３】
0003206813.tif 000005
【図４】
0003206813.tif 000006
【図５】
0003206813.tif 000007